【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
式（Ｉ）：
【化１１】
2017519098.tif 000001
におけるような構造を含む第１のポリマーまたは薬学的に許容可能なその塩
（式中、
各Ｒ１が、同じまたは異なり、任意に置換されてもよいアルキレン、任意に置換されてもよいヘテロアルキレン、任意に置換されてもよいアリーレン、および任意に置換されてもよいヘテロアリーレンからなる群より選択され、
各Ｒ２が、同じまたは異なり、水素、任意に置換されてもよいアルキル、および任意に置換されてもよいヘテロアルキルからなる群より選択され、
各Ｒ３が、同じまたは異なり、任意に置換されてもよいアルキレンおよび任意に置換されてもよいヘテロアルキレンからなる群より選択され、
ｎが、２５〜２５０，０００の整数である）、および
前記第１のポリマーに水素結合した式（ＩＩ）：
【化１２】
2017519098.tif 000002
におけるような構造を含む第２のポリマーまたは薬学的に許容可能なその塩
（式中、
各Ｒ４が、同じまたは異なり、任意に置換されてもよいアルキレンおよび任意に置換されてもよいヘテロアルキレンからなる群より選択され、
各Ｒ５が、同じまたは異なり、任意に置換されてもよいアルキレンおよび任意に置換されてもよいヘテロアルキレンからなる群より選択され、
各Ｒ６が、同じまたは異なり、水素、任意に置換されてもよいアルキル、および任意に置換されてもよいヘテロアルキルからなる群より選択され、
各Ｒ７が、同じまたは異なり、水素、任意に置換されてもよいアルキル、および任意に置換されてもよいヘテロアルキルからなる群より選択され、
各Ｒ８が、同じまたは異なり、任意に置換されてもよいアルキルであり、
ｐが、１〜１０の整数であり、
ｑが、１〜１０の整数であり、
ｚが、１〜１５０，０００の整数であり、但し、（ｐ＋ｑ）＊ｚは２０以上である）
を含むポリマー複合材料。
【請求項２】
その初期長さの５０％から１５００％まで伸長されると、可逆的伸びを示す、請求項１に記載のポリマー複合材料。
【請求項３】
約０．１ＭＰａ〜約１００ＭＰａの範囲の弾性係数を有する、請求項１に記載のポリマー複合材料。
【請求項４】
腸溶性である、請求項１に記載のポリマー複合材料。
【請求項５】
約５未満のｐＨで安定であり、約５．５を超えるｐＨで溶解する、請求項１に記載のポリマー複合材料。
【請求項６】
各Ｒ１が、同じまたは異なり、任意に置換されてもよいアルキレンおよび任意に置換されてもよいヘテロアルキレンからなる群より選択され、
各Ｒ２が、同じまたは異なり、水素および任意に置換されてもよいアルキルからなる群より選択され、
各Ｒ３が、同じまたは異なり、任意に置換されてもよいアルキレンおよび任意に置換されてもよいヘテロアルキレンからなる群より選択され、
ｎが、２５〜２５０，０００の整数である、請求項１に記載のポリマー複合材料。
【請求項７】
前記第１のポリマーが、
【化１３】
2017519098.tif 000003
におけるような構造または薬学的に許容可能なその塩
（式中、
Ｒ３が、同じまたは異なり、任意に置換されてもよいＣ４−８アルキレンおよび−（ＣＨ−２ＣＨ２Ｏ）ｍ−からなる群より選択され、
ｍが、１、２、または３であり、
ｎが、２５〜２５０，０００の整数である）
を含む、請求項１に記載のポリマー複合材料。
【請求項８】
前記第１のポリマーが、アクリロイルアミノアルキレン酸モノマーのポリマー、またはその塩からなる群より選択される、請求項１に記載のポリマー複合材料。
【請求項９】
各Ｒ４が、同じまたは異なり、任意に置換されてもよいアルキレンであり、
各Ｒ５が、同じまたは異なり、任意に置換されてもよいアルキレンであり、
各Ｒ６が、同じまたは異なり、水素および任意に置換されてもよいアルキルからなる群より選択され、
各Ｒ７が、同じまたは異なり、水素および任意に置換されてもよいアルキルからなる群より選択され、
各Ｒ８が、同じまたは異なり、任意に置換されてもよいアルキルであり、
ｐが、１〜１０の整数であり、
ｑが、１〜１０の整数であり、
ｚが、１〜１５０，０００の整数であり、但し、（ｐ＋ｑ）＊ｚは２０以上である、請求項１に記載のポリマー複合材料。
【請求項１０】
以下：
【化１５】
2017519098.tif 000004
または薬学的に許容可能なその塩
（式中、
各Ｒ６およびＲ７が、同じまたは異なり、水素および任意に置換されてもよいアルキルからなる群より選択され、
各Ｒ８が、同じまたは異なり、任意に置換されてもよいアルキルであり、
ｐが、１〜１０の整数であり、
ｑが、１〜１０の整数であり、
ｚが、１〜１５０，０００の整数であり、但し、（ｐ＋ｑ）＊ｚは２０以上である）、請求項１に記載のポリマー複合材料。
【請求項１１】
前記第１のポリマー  対  前記第２のポリマーの比が、約６：１〜約１：６である、請求項１に記載のポリマー複合材料。
【請求項１２】
前記第１のポリマーがポリ（アクリロイル−６−アミノカプロン酸）であり、前記第２のポリマーがポリ（メタクリル酸−ｃｏ−アクリル酸エチル）である、請求項１に記載のポリマー複合材料。
【請求項１３】
前記ポリ（メタクリル酸−ｃｏ−アクリル酸エチル）が、約１：１のメタクリル酸モノマー単位  対  アクリル酸エチルモノマー単位のモル比を有する、請求項１２に記載のポリマー複合材料。
【請求項１４】
約４０重量％以下の含水率を有する、請求項１に記載のポリマー複合材料。
【請求項１５】
活性物質を含む、請求項１に記載のポリマー複合材料。
【請求項１６】
請求項１に記載のポリマー複合材料を含む胃中滞留構造体。
【請求項１７】
その初期長さの少なくとも約５０％まで伸長されると、可逆的伸びを示す腸溶性ポリマー。
【請求項１８】
ポリマー複合材料を形成するための方法であって、
式（Ｉ）におけるような構造を含む第１のポリマーおよび式（ＩＩ）におけるような構造を含む第２のポリマー：
【化１７】
2017519098.tif 000005
または薬学的に許容可能なそれらの塩
（式中、
各Ｒ１が、同じまたは異なり、任意に置換されてもよいアルキレン、任意に置換されてもよいヘテロアルキレン、任意に置換されてもよいアリーレン、および任意に置換されてもよいヘテロアリーレンからなる群より選択され、
各Ｒ２が、同じまたは異なり、水素、任意に置換されてもよいアルキル、および任意に置換されてもよいヘテロアルキルからなる群より選択され、
各Ｒ３が、同じまたは異なり、任意に置換されてもよいアルキレンおよび任意に置換されてもよいヘテロアルキレンからなる群より選択され、
各Ｒ４が、同じまたは異なり、任意に置換されてもよいアルキレンおよび任意に置換されてもよいヘテロアルキレンからなる群より選択され、
各Ｒ５が、同じまたは異なり、任意に置換されてもよいアルキレンおよび任意に置換されてもよいヘテロアルキレンからなる群より選択され、
各Ｒ６が、同じまたは異なり、水素、任意に置換されてもよいアルキル、および任意に置換されてもよいヘテロアルキルからなる群より選択され、
各Ｒ７が、同じまたは異なり、水素、任意に置換されてもよいアルキル、および任意に置換されてもよいヘテロアルキルからなる群より選択され、
各Ｒ８が、同じまたは異なり、任意に置換されてもよいアルキルであり、
ｎが、２５〜２５０，０００の整数であり、
ｐが、１〜１０の整数であり、
ｑが、１〜１０の整数であり、
ｚが、１〜１５０，０００の整数であり、但し、（ｐ＋ｑ）＊ｚは２０以上である）
を混合することを含む、方法。